(57)【要約】  複数のスピーチ信号およびオーディオ信号に対してブロック切替を有する新たなオーディオハイブリッド復号装置およびオーディオハイブリッド符号化装置を提案する。現在、スピーチおよびオーディオ信号に対して非常に低いビットレートのオーディオ符号化方法が提案されているが、これらのオーディオ符号化方法では、非常に長い遅延が生じる。一般的に、オーディオ信号を符号化する際には、高周波分解能を得るためにアルゴリズムの遅延が長くなることが多い。スピーチ信号を符号化する際においては、通信に使われるため遅延を短くする必要がある。この２種類の非常に低いビットレートの入力信号の符号化の質を好適にするよう均衡をとるために、本発明は、ＡＡＣ−ＥＬＤのような低遅延フィルタバンクとＣＥＬＰ符号化方法との組み合わせを提案する。【特許請求の範囲】
【請求項１】
線形予測係数を用いたスピーチ符号化モードと低遅延直交変換を用いたオーディオ符号化モードとを切り替えながら符号化ストリームを復号するオーディオハイブリッド復号装置であって、
前記オーディオ符号化モードにおいて、逆低遅延フィルタバンクを用いて前記符号化信号を復号することによって、合成信号を生成する低遅延変換復号部と、
前記スピーチ符号化モードにおいて、前記線形予測係数を含む前記符号化信号を復号することによって、音声合成信号を生成する音声復号部と、
前記低遅延直交変換を用いたオーディオ符号化モードから前記線形予測係数を用いた前記スピーチ符号化モードに切替られたフレームである第１の遷移フレームを、復号対象フレームに先行する先行フレームの信号を用いて復号し、復号された前記第１の遷移フレームの信号と、前記音声復号部によって生成された前記復号対象フレームの前記音声合成信号とを組み合わせることによって、前記入力信号の時間領域信号を再構成するブロック切替部と
を備えるオーディオハイブリッド復号装置。
【請求項２】
前記ブロック切替部は、前記復号対象フレームの前記音声合成信号、複数の前記逆低遅延フィルタバンクからの先行フレームの逆変換信号、および前記先行フレームの再構成信号を用いて、前記第１の遷移フレームを復号する
請求項１記載のオーディオハイブリッド復号装置。
【請求項３】
前記音声復号部は、前記線形予測係数と代数符号励振係数を復号することにより音声合成信号を生成する代数符号励振線形予測復号部を備え、
前記ブロック切替部は、前記第１の遷移フレームが、前記低遅延直交変換を用いた前記オーディオ符号化モードから、前記代数符号励振線形予測係数を用いた前記スピーチ符号化モードに切替られたフレームである場合、前記復号対象フレームの代数符号励振線形予測合成信号、前記複数の逆低遅延フィルタバンクからの先行フレームの逆変換信号、および前記先行フレームの再構成信号を用いて、前記第１の遷移フレームを復号する
請求項２記載のオーディオハイブリッド復号装置。
【請求項４】
前記音声復号部は、さらに、前記線形予測係数を復号して、励振合成信号を直交変換処理によって生成する変換符号化励振復号部を備え、
前記ブロック切替部は、前記第１の遷移フレームが、前記低遅延直交変換を用いた前記オーディオ符号化モードから、前記変換符号化励振復号処理を行うスピーチ符号化モードに切替られたフレームである場合、前記復号化対象フレームの変換符号化励振合成信号と、前記逆低遅延フィルタバンクからの先行フレームの逆変換信号と、前記先行フレームの再構成信号とを用いて、前記第１の遷移フレームを復号する
請求項３記載のオーディオハイブリッド復号装置。
【請求項５】
前記ブロック切替部は、前記スピーチ符号化モードが前記代数符号励振線形予測係数を用いた前記スピーチ符号化モードである場合、逆修正離散コサイン変換フィルタバンクからの前記複数の復号対象フレームの逆変換信号と、先行フレームの代数符号励振線形予測合成信号と、前記先行フレームの再構成信号とを用いることにより、前記スピーチ符号化モードから前記オーディオ符号化モードに切替られたフレームである第２の遷移フレームを復号する
請求項３記載のオーディオハイブリッド復号装置。
【請求項６】
前記スピーチ符号化モードが前記変換符号化励振係数を用いた前記スピーチ符号化モードである場合、前記ブロック切替部は、前記逆低遅延フィルタバンクからの複数の対象フレームの逆変換信号と、先行フレームの変換符号化励振合成信号と、前記先行フレームの再構成信号とを用いることにより、前記スピーチ符号化モードから前記オーディオ符号化モードに切替られたフレームである第２の遷移フレームを復号する
請求項４記載のオーディオハイブリッド復号装置。
【請求項７】
前記低遅延変換復号部は、復号対象フレームを、前記逆低遅延フィルタバンクの代わりに複数の修正離散コサイン変換フィルタバンクを用いた前記オーディオ符号化モードで復号する
請求項１記載のオーディオハイブリッド復号装置。
【請求項８】
前記低遅延変換復号部は、ショートウインドウ処理された前記拡張フレームに対して逆修正離散コサイン変換フィルタバンクを適用し、前記逆修正離散コサイン変換フィルタバンクからの複数の復号対象フレームの逆変換信号と、前記拡張フレームに含まれる先行フレームの逆変換信号と、前記先行フレームの再構成信号とを用いることにより、前記拡張フレームにおける時間信号を復号する
請求項７記載のオーディオハイブリッド復号装置。
【請求項９】
線形予測係数を用いたスピーチ符号化モードと低遅延直交変換を用いたオーディオ符号化モードとを切り替ながら入力信号を符号化するオーディオハイブリッド符号化装置であって、
前記入力信号の特徴に応じて前記入力信号を分類し、前記分類結果に応じて、前記入力信号を符号化する符号化モードとして、前記スピーチ符号化モードと前記オーディオ符号化モードとを切替える信号分類部と、
前記オーディオ符号化モードにおいて、低遅延フィルタバンクを用いて複数の符号化対象フレームの前記入力信号を符号化し、符号化された低遅延直交変換を用いて符号化信号を生成する低遅延変換符号化部と、
前記スピーチ符号化モードにおいて、符号化対象フレームの前記入力信号の複数の線形予測係数を算出することにより、複数の前記線形予測係数を含む符号化信号を生成する線形予測符号化部と、
前記信号分類部が、前記符号化モードを、前記低遅延直交変換を用いた前記オーディオ符号化モードから前記線形予測係数を用いた前記スピーチ符号化モードに切替えたフレームであり、前記符号化対象フレームに先行する先行フレームである第１の遷移フレームと、前記符号化対象フレームとを連結して拡張フレームを形成し、形成された前記拡張フレームを符号化するブロック切替部と
を備えるオーディオハイブリッド符号化装置。
【請求項１０】
前記線形予測符号化部は、
複数の前記線形予測係数の残差を、修正離散コサイン変換フィルタバンクを用いて符号化し、複数の変換符号化励振係数と前記複数の線形予測係数を含む符号化信号を生成する変換符号化励振符号化部と、
複数の前記線形予測係数と、複数の代数符号励振係数を含む符号化信号を生成する代数符号励振線形予測符号化部と
を備える請求項９記載のオーディオハイブリッド符号化装置。
【請求項１１】
前記ブロック切替部は、修正離散コサイン変換フィルタバンクを用いて複数の前記拡張フレームを変換することにより、前記スピーチ符号化モードから前記オーディオ符号化モードに切り替えられたフレームである第２の遷移フレームを符号化する
請求項９記載のオーディオハイブリッド符号化装置。
【請求項１２】
前記ブロック切替部は、符号化対象フレームと前記符号化対象フレームに先行する先行フレームとを連結して拡張フレームを形成し、前記拡張フレームをショートウインドウ処理した後、修正離散コサイン変換フィルタバンクによる変換処理を用いて符号化する
請求項９記載のオーディオハイブリッド符号化装置。
【請求項１３】
請求項３または請求項４記載のオーディオハイブリッド復号装置に備えられる前記ブロック切替部であって、
ａ．ウィンドウ処理および順序付けを行うことにより前記復号対象フレームの代数符号励振線形予測合成信号または前記変換符号化励振合成信号を処理して第１の信号を取得する処理部と、
ｂ．ウィンドウ処理および順序付けを行うことにより前記先行フレームの再構成信号を処理して第２の信号を取得する処理部と、
ｃ．前記第１の信号と前記第２の信号とを逆低遅延フィルタバンクからの複数の前記先行フレームの逆変換信号に加算して第３の信号を取得する処理部と、
ｄ．ウィンドウ処理および順序付けを行うことにより前記第３の信号を処理して第４の信号を取得する処理部と、
ｅ．前記第４の信号と前記対象フレームの前記代数符号励振線形予測合成信号または前記変換符号化励振合成信号とを連結させて再構成された信号を取得する処理部と
を備えるブロック切替部。
【請求項１４】
請求項７または請求項８記載のオーディオハイブリッド復号装置に備えられる前記ブロック切替部であって、
ａ．復号対象フレームから３フレーム前の再構成信号を、ウィンドウ処理および順序付けを行うことにより処理して第１の信号を取得する処理部と、
ｂ．ウィンドウ処理および順序付けを行うことにより先行フレームの代数符号励振線形予測合成信号または変換符号化励振合成信号を処理して第２の信号を取得する処理部と、
ｃ．前記第１の信号と前記第２の信号とを加算して第３の信号を取得する処理部と、
ｄ．前記第３の信号をウィンドウ処理および順序付けを行うことにより前記復号対象フレームの逆低遅延直交変換信号の一部を取得する処理部と
を備えるブロック切替部。
【請求項１５】
請求項７または請求項８記載のオーディオハイブリッド復号装置に備えられる前記ブロック切替部であって、
ａ．復号対象フレームから２フレーム前の再構成信号をウィンドウ処理および順序付けを行うことにより処理して第１の信号を取得する処理部と、
ｂ．前記第１の信号と前記再構成信号とを、前記復号対象フレームの前記逆低遅延フィルタバンクからの複数の逆変換信号に加算して第３の信号を取得する処理部と、
ｃ．前記第３の信号を、ウィンドウ処理および順序付けを行うことにより前記復号対象ブロックの逆低遅延変換信号の一部を得る処理部と
を備えるブロック切替部。
【請求項１６】
請求項４記載のオーディオハイブリッド復号装置に備えられる前記ブロック切替部であって、
ａ．ウィンドウ処理および順序付けを行うことにより復号対象フレームの変換符号化励振合成信号を処理して第１の信号を取得する処理部と、
ｂ．先行フレームの再構成信号をウィンドウ処理および順序付けを行うことにより第２の信号を取得する処理部と、
ｃ．前記第１の信号と前記第２の信号とを、逆低遅延フィルタバンクからの前記複数の先行フレームの逆変換信号に加算して、第３の信号を取得する処理部と、
ｄ．ウィンドウ処理および順序付けを行うことにより前記第３の信号を処理して第４の信号を取得する処理部と、
ｅ．前記第４の信号と前記復号対象フレームの前記変換符号化励振合成信号とを連結させて再構成された信号を取得する処理部と
を備えるブロック切替部。
【請求項１７】
請求項６記載のオーディオハイブリッド復号装置に備えられる前記ブロック切替部であって、
ａ．ウィンドウ処理および順序付けにより先行フレームの前記変換符号化励振合成信号を処理して、第１の信号を取得する処理部と、
ｂ．ウィンドウ処理および順序付けを行うことにより先行フレームの前記再構成信号を処理して、第２の信号を取得する処理部と、
ｃ．前記第１の信号と前記第２の信号とを、逆低遅延フィルタバンクからの複数の復号対象フレームの逆変換信号に加算して第３の信号を取得する処理部と、
ｄ．ウィンドウ処理および順序付けを行うことにより前記第３の信号を処理して第４の信号を取得する処理部と、
ｅ．前記第４の信号と前記先行フレームの前記変換符号化励振合成信号とを連結させて再構成された信号を取得する処理部と
を備えるブロック切替部。
【請求項１８】
請求項８記載のオーディオハイブリッド復号装置に備えられる前記ブロック切替部であって、
ａ．前記複数の復号対象フレームの逆修正離散コサイン変換フィルタバンクからの再構成信号を、ウィンドウ処理および順序付けを行うことにより第１の信号を取得する処理部と、
ｂ．前記先行フレームの再構成信号をウィンドウ処理および順序付けを行うことにより、第２の信号を取得する処理部と、
ｃ．前記第１の信号と前記第２の信号とを逆低遅延フィルタバンクからの複数の先行フレームの逆変換信号に加算して、第３の信号を取得する処理部と、
ｄ．ウィンドウ処理および順序付けにより前記第３の信号を処理して第４の信号を取得する処理部と、
ｅ．前記第４の信号と前記複数の復号対象フレームの前記逆修正離散コサイン変換フィルタバンクからの前記再構成信号とを連結させて、再構成された信号を取得する処理部と
を備えるブロック切替部。
【発明の詳細な説明】
【技術分野】
【０００１】
複数の異なるコーデックを切替えながら符号化および復号の処理を行うオーディオハイブリッド符号化装置およびオーディオハイブリッド復号装置に関する。
【背景技術】
【０００２】
スピーチコーデックは、スピーチ信号の特徴に応じて特別に設計される［１］。スピーチコーデックは、スピーチ信号を効率的に符号化する効果を有する。たとえば、スピーチ信号を低ビットレートで符号化する際に高音質で符号化することが可能であり、低遅延ではある。一方で、スピーチ信号より広帯域なオーディオ信号を符号化する際の音質は、ＡＡＣ方式など一部の変換コーデック程よい音質ではない。一方、ＡＡＣ方式に代表される変換コーデックはオーディオ信号を符号化することに適しているが、スピーチコーデックと同じ音質でスピーチ信号を符号化するには、高いビットレートを要する。ハイブリッドコーデックは、スピーチ信号およびオーディオ信号を低ビットレートでも高音質で符号化することが可能である。ハイブリッドコーデックは低ビットレートで高音質な符号化を実現するために、２つの異なるコーデックの利点を組み合わせたものである。【０００３】
低遅延のハイブリッドコーデックが、テレビ会議システムなどのリアルタイム通信を行う用途で所望されている。低遅延のハイブリッドコーデックの１つは、ＡＡＣ−ＬＤ（低遅延ＡＡＣ）符号化技術とスピーチ符号化技術とを組み合わせるものである。このＡＡＣ−ＬＤには、アルゴリズム遅延量が２０ミリ秒以内のモードがある。ＡＡＣ−ＬＤは、通常のＡＡＣ符号化技術から派生したものである。アルゴリズム遅延量を低減させるために、ＡＡＣ−ＬＤは、ＡＡＣにいくつか変更が加えられたものである。第１に、ＡＡＣ−ＬＤのフレームサイズは、１０２４または９６０時間領域サンプルに減少しており、従ってＭＤＣＴフィルタバンクの出力スペクトル数も５１２および４８０スペクトル値に減少している。第２に、アルゴリズム遅延量を低減させるために、先読み処理を無効にし、その結果としてブロック切替処理を用いない。第３に、通常遅延量のＡＡＣにおける窓関数処理で用いるカイザー・ベッセル窓関数の代わりに、オーバーラップが少ない窓関数を用いる。オーバーラップが少ない窓関数は、ＡＡＣ−ＬＤにおいて過渡信号を効率的に符号化するために用いられる。第４に、ビットリザーバを最小化するか、一切使用しない。第５に、時間領域ノイズ整形と、長期予測関数とが、低遅延のフレームサイズに対応した修正を行って処理する。【０００４】
一般的に、スピーチコーデックでは、線形予測符号化（ＡＣＥＬＰ：代数符号励振線形予測）に基づいて符号化している［１］。ＡＣＥＬＰ符号化において、線形予測分析をスピーチ信号に対して適用し、線形予測分析によって算出した励振信号を代数コードブックを用いて符号化する。ＡＣＥＬＰ符号化の音質をさらに向上させるため、昨今のスピーチコーデックではさらに変換符号化励振（変換符号化励振）符号化（ＴＣＸ符号化）も用いて高音質化している。ＴＣＸ符号化において、線形予測分析の後、変換符号化が励振信号に用いられる。フーリエ変換された、重み付けされた信号が代数ベクトル量子化（ａｌｇｅｂｒａｉｃ  ｖｅｃｔｏｒ  ｑｕａｎｔｉｚａｔｉｏｎ）を用いて量子化される。スピーチコーデックには異なるフレームサイズが利用可能であり、たとえば、１０２４時間領域サンプル、５１２時間領域サンプル、および２５６時間領域サンプルなどが可能である。符号化モードが閉ループ分析合成方法を用いて選択される。【０００５】
低遅延ハイブリッドコーデックは、ＡＡＣ−ＬＤ符号化モード、ＡＣＥＬＰモード、およびＴＣＸモードの３つの異なる符号化モードを有する。異なるモードは、異なるドメインで信号を符号化し、異なるフレームサイズを有するため、ハイブリッドコーデックは、符号化モードが切り替わる遷移フレームに対してブロック切替方法を構成する必要がある。遷移フレームの一例を、図２に示す。たとえば、先行フレームがＡＡＣ−ＥＬＤモードで符号化され、対象フレームがＡＣＥＬＰモードで符号化される場合、対象フレームは遷移フレームと定義される。先行技術においては、異なる符号化モードに切り替えるために、窓処理された先行フレームのエイリアシング部分が遷移フレームの対象ブロックの対象部分とは異なる方法で処理される［特許文献１：ＷＯ２０１０／００３５３２、フラウンホーファー研究機構の特許出願］。【０００６】
後述の段落におけるこの特許の説明を簡単にするために、ＡＡＣ−ＥＬＤの変換および逆変換を背景技術において説明する。【０００７】
エンコーダにおけるＡＡＣ−ＥＬＤモードの変換処理は、以下の通りである。【０００８】
処理されたＡＡＣ−ＥＬＤのフレーム数は、４フレームである。フレームｉ−１が先行する３フレームに連結されて、長さが４Ｎの拡張フレームを形成する。ここで、Ｎは入力フレームのサイズである。すなわち、ＡＡＣ−ＥＬＤモードでは、符号化対象フレームを符号化するために、符号化対象フレームのサンプルだけでなく、当該符号化対象フレームに先行する３つの先行フレームのサンプルを必要とする。【０００９】
第１に、ＡＡＣ−ＥＬＤモードにおいて拡張フレームを窓処理する。図３は、エンコーダのＡＡＣ−ＥＬＤモードにおけるエンコーダの窓形状を示す。エンコーダにおける窓を、ｗｅｎｃと定義する。図示の便宜上、エンコーダの窓を８つに分割し、［ｗ１、ｗ２、ｗ３、ｗ４、ｗ５、ｗ６、ｗ７、ｗ８］とする。エンコーダの窓の長さは４Ｎである。ＡＡＣ−ＥＬＤモードにおけるエンコーダの窓は、ＡＡＣ−ＥＬＤモードで用いられている低遅延フィルタバンクに合致するように構成される。説明の便宜上、図３に示すように１つのフレームを２つの部分に分割する。たとえば、フレームｉ−１を２つのベクトル［ａｉ−１、ｂｉ−１］に分割する。ここでａｉ−１はＮ／２個のサンプルを有し、ｂｉ−１がＮ／２個のサンプルを有している。したがって、エンコーダの窓は、［ａｉ−４、ｂｉ−４、ａｉ−３、ｂｉ−３、ａｉ−２、ｂｉ−２、ａｉ−１、ｂｉ−１］と示されるベクトルに適用され、窓処理された信号、［ａｉ−４ｗ１、ｂｉ−４ｗ２、ａｉ−３ｗ３、ｂｉ−３ｗ４、ａｉ−２ｗ５、ｂｉ−２ｗ６、ａｉ−１ｗ７、ｂｉ−１ｗ８］が得られる。【００１０】
次に、窓処理された信号を変換するために複数の低遅延フィルタバンクが用いられる。低遅延フィルタバンクは、以下のように定義される。【００１１】
【数１】
2011158485.tif 000002
【００１２】
式中、ｘｎ＝［ａｉ−４ｗ１、ｂｉ−４ｗ２、ａｉ−３ｗ３、ｂｉ−３ｗ４、ａｉ−２ｗ５、ｂｉ−２ｗ６、ａｉ−１ｗ７、ｂｉ−１ｗ８］である。【００１３】
上記低遅延フィルタバンクに基づいて、出力係数の長さをＮとし、処理するフレームの長さは４Ｎとする。【００１４】
低遅延フィルタバンクは、ＤＣＴ−ＩＶ変換によって表すこともできる。ＤＣＴ−ＩＶ変換の定義を以下に示す。【００１５】
【数２】
2011158485.tif 000003
【００１６】
以下の恒等式により、    
【数３】
2011158485.tif 000004
【００１７】
【数４】
2011158485.tif 000005
【００１８】
低遅延フィルタバンクにより変換されたフレームｉ−１の信号は、ＤＣＴ−ＩＶ変換により以下のように表すことができる。
［ＤＣＴ−ＩＶ（−（ａｉ−４ｗ１）Ｒ−ｂｉ−４ｗ２＋（ａｉ−２ｗ５）Ｒ＋ｂｉ−２ｗ６））、
ＤＣＴ−ＩＶ（−ａｉ−３ｗ３＋（ｂｉ−３ｗ４）Ｒ＋ａｉ−１ｗ７−（ｂｉ−１ｗ８）Ｒ）］、
式中、（ａｉ−４ｗ１）Ｒ、（ａｉ−２ｗ５）Ｒ、（ｂｉ−３ｗ４）Ｒ、（ｂｉ−１ｗ８）Ｒは、それぞれ、ベクトルａｉ−４ｗ１、ａｉ−２ｗ５、ｂｉ−３ｗ４、ｂｉ−１ｗ８の逆順を示す。【００１９】
デコーダにおけるＡＡＣ−ＥＬＤモードの逆変換処理を、以下に説明する。【００２０】
デコーダにおいて、フレームｉ−１がＡＡＣ−ＥＬＤモードで復号される場合を説明する。図７にＡＡＣ−ＥＬＤモードに対する逆変換処理を示す。デコーダにおけるＡＡＣ−ＥＬＤモードの逆低遅延フィルタバンクを、以下に示す。【００２１】
【数５】
2011158485.tif 000006
【００２２】
低遅延フィルタバンクの逆変換信号の長さは、４Ｎである。第１の実施の形態において説明したように、フレームｉ−１に対する逆変換信号は以下の通りである。【００２３】
【数６】
2011158485.tif 000007
【００２４】
逆低遅延フィルタバンクを適用した後、窓がｙｉ−１に適用され、      
【数７】
2011158485.tif 000008
が得られる。図６は、ＡＡＣ−ＥＬＤモードのデコーダの窓形状を示す。ＡＡＣ−ＥＬＤモードにおける窓の長さは４Ｎである。これは、ＡＡＣ−ＥＬＤモードのエンコーダの窓の逆順である。デコーダにおける窓は、ｗｄｅｃと示される。図示の便宜上、図６に示すように、デコーダの窓は８つの部分に分割され、［ｗＲ，８、ｗＲ，７、ｗＲ，６、ｗＲ，５、ｗＲ，４、ｗＲ，３、ｗＲ，２、ｗＲ，１］と示される。【００２５】
窓処理された逆変換信号
【数８】
2011158485.tif 000009
は、以下の通りである。【００２６】
【数９】
2011158485.tif 000010
【００２７】
ＡＡＣ−ＥＬＤモードによって符号化された次のフレームｉにおいて、窓処理された逆変換信号      
【数１０】
2011158485.tif 000011
は、以下の通りである。【００２８】
【数１１】
2011158485.tif 000012
【００２９】
フレームｉの信号［ａｉ−１、ｂｉ−１］を再構成するために、重複加算処理には先行する３つのフレームを必要とする。図７では、そのＡＡＣ−ＥＬＤモードの重複加算処理を示す。再構成された信号ｏｕｔｉの長さはＮである。【００３０】
重複加算処理は、以下の式により表すことができる。【００３１】
【数１２】
2011158485.tif 000013
【００３２】
ＡＡＣ−ＥＬＤのエイリアシングを除去するメカニズムを、図２２に示す。フレームｉ、フレームｉ−１、フレームｉ−２、フレームｉ−３の窓処理された逆変換信号を図２２に示す。視覚化するために、グラフは、      
【数１３】
2011158485.tif 000014
である、特殊な場合の例を示す。【００３３】
【数１４】
2011158485.tif 000015
【００３４】
窓は、以下の特性を有するように構成される。【００３５】
【数１５】
2011158485.tif 000016
【００３６】
信号ａｉ−１は、重複加算された後に再構成される。【００３７】
同じ分析方法が信号ｂｉ−１の再構成に用いられる。【００３８】
【数１６】
2011158485.tif 000017
【００３９】
【数１７】
2011158485.tif 000018
【００４０】
信号ｂｉ−１は、重複加算された後に再構成される。
【先行技術文献】
【特許文献】
【００４１】
【特許文献１】Ｆｕｃｈｓ，Ｇｕｉｌｌａｕｍｅ「Ａｐｐａｒａｔｕｓ  ａｎｄ  ｍｅｔｈｏｄ  ｆｏｒ  ｅｎｃｏｄｉｎｇ／ｄｅｃｏｄｉｎｇ  ａｎｄ  ａｕｄｉｏ  ｓｉｇｎａｌ  ｕｓｉｎｇ  ａｎ  ａｌｉａｓｉｎｇ  ｓｗｉｔｃｈ  ｓｃｈｅｍｅ」、国際公開第２０１０／００３５３２号
【非特許文献】
【００４２】
【非特許文献１】Ｍｉｌａｎ  Ｊｅｌｉｎｅｋ、「Ｗｉｄｅｂａｎｄ  Ｓｐｅｅｃｈ  Ｃｏｄｉｎｇ  Ａｄｖａｎｃｅｓ  ｉｎ  ＶＭＲ−ＷＢ  Ｓｔａｎｄａｒｄ」、ＩＥＥＥ  Ｔｒａｎｓａｃｔｉｏｎｓ  ｏｎ  Ａｕｄｉｏ、Ｓｐｅｅｃｈ  ａｎｄ  Ｌａｎｇｕａｇｅ  Ｐｒｏｃｅｓｓｉｎｇ、Ｖｏｌ．１５、Ｎｏ．４、２００７年５月
【発明の概要】
【発明が解決しようとする課題】
【００４３】
ＡＡＣ−ＬＤを用いる低遅延ハイブリッドコーデックは、通常遅延のＡＡＣを用いるよりも遅延が少ないが、その音質は、比較的狭帯域なものとなり、十分ではない。【００４４】
ハイブリッドコーデックの音質を向上（特に広帯域化）させるために、ＡＡＣ−ＬＤモードをＡＡＣ−ＥＬＤ符号化モードに置き換えることで音質向上が期待できる。ＡＡＣ−ＥＬＤは、ＡＡＣ−ＬＤを用いるハイブリッドコーデックの遅延をさらに低減させる。【００４５】
しかしながら、ＡＡＣ−ＥＬＤを用いてハイブリッドコーデックを構成することには問題がある。異なる符号化モードを切り替える際、ＡＡＣ−ＥＬＤでは先行フレームとオーバーラップしたサンプルを用いて周波数変換を行うために、対象フレーム内のサンプルだけで符号化が完結するＡＣＥＬＰおよびＴＣＸモードとの切り替わりにおける遷移フレームにおいてエイリアシングが生じ、不自然な音が発生する。ＡＡＣ−ＥＬＤを用いる低遅延ハイブリッドコーデックの符号化構造が先行技術の他のハイブリッドコーデックとは異なるため、先行技術におけるブロック切替アルゴリズムを用いることでは、このエイリアシングを除去することができない。先行技術において、ブロック切替アルゴリズムは、ＡＡＣ−ＬＤモードと、ＡＣＥＬＰおよびＴＣＸモードとの間で切り替えられるように構成されている。これをそのままの形では、ＡＡＣ−ＥＬＤモードと、ＡＣＥＬＰおよびＴＣＸモードとの間のブロック切替に適用できない。【００４６】
つまり、低遅延ハイブリッドコーデックにおいてＡＡＣ−ＥＬＤ符号化技術とＡＣＥＬＰ符号化技術およびＴＣＸ符号化技術をシームレスに組み合わせて、エイリアシングに起因する音質劣化を抑制ためには、符号化モードが切り替わる遷移フレームを処理するための新たなブロック切替アルゴリズムが必要である。【００４７】
また、低遅延ハイブリッドコーデックの他の問題は、過渡信号の符号化に好適な方式がないため低音質であることである。ＡＡＣ−ＥＬＤは、低遅延フィルタバンクに適応される窓形状を１種類のみ使用する。ＡＡＣ−ＥＬＤの窓形状は長い。ＡＡＣ−ＥＬＤのロングウインドウ形状により、過渡信号の符号化の品質が低くなる。より優れたＡＡＣ−ＥＬＤの過渡信号符号化方法が、低遅延ハイブリッドコーデックの音質の向上に必要である。
【課題を解決するための手段】
【００４８】
本発明の目的は、低遅延ハイブリッドコーデックにおいて異なる符号化モードを切り替える際に生じる音質低下の問題を解決することである。【００４９】
本発明の目的は、符号化モードをシームレスに切り替えて、切り替えの際に発生する音質劣化を抑制するために、エンコーダとデコーダとにおける、スピーチおよびオーディオのハイブリッドコーデックに対する最適なブロック切替アルゴリズムを提供することである。先行技術では、窓処理されたブロックのエイリアシング部分に対して、遷移ブロックとそれ以降の部分とでは別の処理を行っていたが、本発明のに係る切替方式はこれとは異なる。すなわち、先行フレームの非エイリアシング部分を処理して、切替対象フレームにおけるエイリアシングの除去に用いる。従って、複数フレームの異なる部分に対して別々の符号化技術は用いられていない。【００５０】
ブロック切替アルゴリズムは、以下の遷移フレームを処理するために用いる。
・ＡＡＣ−ＥＬＤモードからＡＣＥＬＰモード
・ＡＣＥＬＰモードからＡＡＣ−ＥＬＤモード
・ＡＡＣ−ＥＬＤモードからＴＣＸモード
・ＴＣＸモードからＡＡＣ−ＥＬＤモード【００５１】
さらに、低遅延ハイブリッドコーデックのためにＡＣＥＬＰモードからＡＡＣ−ＥＬＤモードへ切り替わるブロックのビットレートを低減させることが好ましい。ここでは、ＡＣＥＬＰからＡＡＣ−ＥＬＤの切り替えに要するビットレートを低減させるため、低遅延フィルタバンクを用いる代わりに、低遅延フィルタバンクに似た通常のＭＤＣＴフィルタバンクを用いる。【００５２】
また、さらに、低遅延ハイブリッドコーデックにおいて過渡信号を処理するブロック切替方式を構成することによって音質を向上させることが好ましい。過渡信号では、急激なエネルギー変化があるため、過渡信号を符号化するためには、ショートウインドウ処理を用いることが望ましい。これにより、ＡＡＣ−ＥＬＤモードにおいてショートウインドウからロングウインドウへシームレスに連結することができる。
【図面の簡単な説明】
【００５３】
【図１】図１は、３つの符号化モードを有する低遅延ハイブリッドエンコーダの構成を示すブロック図である。
【図２】図２は、通常フレームから通常フレームに切り替わる際の遷移フレームを示す図である。
【図３】図３は、ＡＡＣ−ＥＬＤモードにおけるエンコーダの窓処理を示す図である。
【図４】図４は、エンコーダにおいてＡＡＣ−ＥＬＤモードがＡＣＥＬＰモードに切り替えられる場合のフレーム境界を示す図である。
【図５】図５は、３つの復号モードを有する低遅延ハイブリッドデコーダの構成を示すブロック図である。
【図６】図６は、ＡＡＣ−ＥＬＤモードにおけるデコーダの窓処理を示す図である。
【図７】図７は、ＡＡＣ−ＥＬＤモードの復号処理を示す図である。
【図８】図８は、ＡＡＣ−ＥＬＤからＡＣＥＬＰに切り替える復号処理を示す図である。
【図９】図９は、デコーダにおいてＡＣＥＬＰからＡＡＣ−ＥＬＤに遷移する場合の処理を示す図である。
【図１０】図１０は、エンコーダにおいてＡＣＥＬＰモードがＡＡＣ−ＥＬＤモードに切り替えられる際の処理を示す図である。
【図１１】図１１は、ＡＣＥＬＰからＡＡＣ−ＥＬＤに切り替える復号処理の例１を示す図である。
【図１２】図１２は、ＡＣＥＬＰからＡＡＣ−ＥＬＤに切り替える復号処理の例２を示す図である。
【図１３】図１３は、エンコーダにおいてＡＡＣ−ＥＬＤモードがＴＣＸモードに切り替えられる際の処理を示す図である。
【図１４】図１４は、デコーダにおいてＡＡＣ−ＥＬＤからＴＣＸに遷移する場合の処理を示す図である。
【図１５】図１５は、エンコーダにおいてＴＣＸモードがＡＡＣ−ＥＬＤモードに切り替えられる際の処理を示す図である。
【図１６】図１６は、ＴＣＸからＡＡＣ−ＥＬＤに切り替える復号処理を示す図である。
【図１７】図１７は、ＴＣＸからＡＡＣ−ＥＬＤに切り替える復号処理の詳細を示す図である。
【図１８】図１８は、エンコーダにおける過渡信号の処理を示す図である。
【図１９】図１９は、過渡信号の復号処理を示す図である。
【図２０】図２０は、２つの符号化モードを有する低遅延ハイブリッドエンコーダの構成を示すブロック図である。
【図２１】図２１は、２つの復号モードを有する低遅延ハイブリッドデコーダの構成を示すブロック図である。
【図２２】図２２は、ＡＡＣＣ−ＥＬＤモードにおけるエイリアシング除去の処理を示す図である。
【図２３】図２３は、デコーダにおいてＡＡＣ−ＥＬＤからＡＣＥＬＰに遷移する場合の処理を示す図である。
【図２４】図２４は、サブフレームの境界における平滑化処理を示す図である。
【発明を実施するための形態】
【００５４】
以下の実施の形態は、様々な発明ステップの原理を説明するものである。ここに説明する具体例の様々な変形例は、当業者には明らかであろう。
【００５５】
（第１の実施の形態）
第１の実施の形態において、ＡＡＣ−ＥＬＤモードをＡＣＥＬＰモードに切り替える途中のフレームである遷移フレームを符号化するために、複数のブロック切替アルゴリズムを有するスピーチおよびオーディオハイブリッドエンコーダを考案する。
【００５６】
デコーダにおいて、ＡＡＣ−ＥＬＤモードに起因する先行フレームのエイリアシングを除去するために、ＡＣＥＬＰのフレームサイズを拡張する。ＡＡＣ−ＥＬＤモードからＡＣＥＬＰモードに切替える際に生じるエイリアシングは、ＡＡＣ−ＥＬＤモードでは符号化対象フレームを符号化するために先行するフレームのサンプルが必要であるのに対し、ＡＣＥＬＰでは符号化対象フレームを符号化するために符号化対象フレームの１フレーム分のサンプルしか使わないことに起因する。これに対し、まず符号化対象フレームに先行する先行フレームの後半は、対象フレームに連結され、通常の入力フレームサイズよりも長い拡張フレームを形成する。拡張フレームは、エンコーダにおいてＡＣＥＬＰモードで符号化される。
【００５７】
図２０は、ＡＡＣ−ＥＬＤ符号化技術とＡＣＥＬＰ符号化技術とを組み合わせたハイブリッドエンコーダの構成を示すブロック図である。図２０において、入力信号が高周波エンコーダ２００１に送信される。符号化された高周波パラメータは、ビットマルチプレクサブロック２００６に送信される。入力信号は、信号分類ブロック２００３にも送信される。信号分類では、低周波帯域の時間領域信号に対して、どの符号化モードを選択するかを決定する。信号分類ブロック２００３からのモード指標が、ビットマルチプレクサブロック２００６に送信される。モード指標は、ブロック切替アルゴリズム２００２を制御するためにも用いられる。符号化対象の低周波帯域における時間領域信号は、モード指標に従って、対応する符号化技術２００４、２００５に送信される。ビットマルチプレクサブロック２００６は、ビットストリームを生成する。
【００５８】
入力信号は、フレーム毎に符号化される。入力フレームサイズは、本実施の形態ではＮと定義される。
【００５９】
図２０において、複数のブロック切替アルゴリズム２００２は、符号化モードが切り替えられる遷移フレームの処理に用いられる。図４は、第１の実施の形態におけるＡＡＣ−ＥＬＤからＡＣＥＬＰへのブロック切替アルゴリズムを示す。
【００６０】
ブロック切替アルゴリズムは、先行フレームｉ−１の後半を連結して、処理フレームの長さが      
【数１８】
2011158485.tif 000019
の拡張フレームを形成する。この処理が行われたフレームは、符号化のためにＡＣＥＬＰモードに送信される。
【００６１】
（効果）
本実施の形態のブロック切替アルゴリズムを有するエンコーダにより、符号化モードをＡＡＣ−ＥＬＤモードからＡＣＥＬＰモードに切り替える際、デコーダにおけるエイリアシングの除去を容易に行うことができ、オーディオ符号化モードとスピーチ符号化モードとの２つの符号化モードを有する低遅延のスピーチおよびオーディオハイブリッドコーデックにおいて、ＡＡＣ−ＥＬＤ符号化技術およびＡＣＥＬＰ符号化技術をシームレスに組み合わせることができる。
【００６２】
（第２の実施の形態）
第２の実施の形態において、ＡＡＣ−ＥＬＤモードがＡＣＥＬＰモードに切り替えられる遷移フレームを符号化するために、複数のブロック切替アルゴリズムを有するスピーチおよびオーディオハイブリッドエンコーダを考案する。
【００６３】
第２の実施の形態では、第１の実施の形態と同様にＡＣＥＬＰフレームの長さを拡張することである。エンコーダの構成は、第１の実施の形態と異なる。第２の実施の形態のエンコーダには、３つの符号化モードがある。それは、ＡＡＣ−ＥＬＤモード、ＡＣＥＬＰモード、およびＴＣＸモードである。
【００６４】
図１は、オーディオコーデックであるＡＡＣ−ＥＬＤと、スピーチコーデックであるＡＣＥＬＰ符号化技術およびＴＣＸ符号化技術とを組み合わせる構成を示す。図１において、入力信号が高周波エンコーダ１０１に送信される。符号化された高周波パラメータは、ビットマルチプレクサブロック１０７に送信される。入力信号は、信号分類ブロック１０３にも送信される。信号分類は、どの符号化モードを選択するかを決定する。信号分類ブロックからのモード指標が、ビットマルチプレクサブロック１０７に送信される。モード指標は、ブロック切替アルゴリズム１０２を制御するためにも用いられる。符号化対象の低周波帯域における時間領域信号は、モード指標に従って、対応する符号化技術１０４、１０５、１０６に送信される。ビットマルチプレクサブロック１０７は、ビットストリームを生成する。
【００６５】
（効果）
本実施の形態のブロック切替アルゴリズムを有するエンコーダにより、符号化モードをＡＡＣ−ＥＬＤモードからＡＣＥＬＰモードに切り替える際、デコーダにおけるエイリアシングの除去を容易に行うことができ、３つの符号化モードを有する低遅延のスピーチおよびオーディオハイブリッドコーデックにおいて、ＡＡＣ−ＥＬＤ符号化技術およびＡＣＥＬＰ符号化技術をシームレスに組み合わせることができる。
【００６６】
（第３の実施の形態）
第３の実施の形態において、ＡＡＣ−ＥＬＤモードがＡＣＥＬＰモードに切り替えられる遷移フレームを復号するために、複数のブロック切替アルゴリズムを有するスピーチおよびオーディオハイブリッドデコーダを考案する。
【００６７】
本実施の形態において、対象フレームをフレームｉと示す。ＡＡＣ−ＥＬＤ符号化モードに起因するフレームｉ−１のエイリアシングを除去するために、ブロック切替アルゴリズムは、フレームｉのＡＣＥＬＰ合成信号の非エイリアシング部分およびフレームｉ−２の再構成信号を用いて逆エイリアシング成分を生成する。
【００６８】
図２１は、ＡＡＣ−ＥＬＤ符号化技術とＡＣＥＬＰ復号技術とを組み合わせたスピーチおよびオーディオハイブリッドデコーダを示す。図２１において、入力ビットストリームが２１０１において逆多重化される。モード指標が復号モードおよびブロック切替アルゴリズム２１０４の選択を制御するために送信される。高周波信号を再構成するために高周波パラメータが高周波デコーダ２１０５に送信される。モード指標に従って、低周波係数が対応するデコーダ２１０２、２１０３に送信される。逆変換信号および合成信号は、ブロック切替アルゴリズムに送信される。ブロック切替アルゴリズム２１０４は、異なる切替状況に応じて低周波帯域の時間領域信号を再構成する。高周波デコーダ２１０５は、高周波パラメータおよび低周波帯域の時間領域信号に基づいてこれらの信号を再構成する。
【００６９】
第３の実施の形態において、デコーダにおいてＡＡＣ−ＥＬＤモードからＡＣＥＬＰモードに切り替えるためのブロック切替方法を考案する。図２３は、ＡＡＣ−ＥＬＤからＡＣＥＬＰに遷移する場合を示す。フレームｉ−１は、ＡＡＣ−ＥＬＤモードによって通常フレームとして逆変換される。フレームｉは、ＡＣＥＬＰモードにおいて通常フレームとして合成される。サブフレーム２３０１で示す非エイリアシング部分と、サブフレーム２３０４およびサブフレーム２３０５で示すフレームｉ−２の復号信号とを処理し、これを用いてサブフレーム２３０２で示すエイリアシング部分におけるエイリアシングを除去する。
【００７０】
図８は、ブロックの切り替えの一例を示す。
【００７１】
フレームｉに対して、ＡＣＥＬＰ合成信号を、      
【数１９】
2011158485.tif 000020
と示す。ＡＣＥＬＰ合成信号の長さは、第１の実施の形態において示されている符号化処理に基づき、      
【数２０】
2011158485.tif 000021
である。図２３においてサブフレーム２３０１と示されている非エイリアシング部分の一部は、エイリアシング除去のために抽出される。
【００７２】
【数２１】
2011158485.tif 000022
【００７３】
先行フレームｉ−１のＡＡＣ−ＥＬＤ逆変換信号は、ｙｉ−１と示され、４Ｎの長さを有する。図２３において、サブフレーム２３０２として示されている１つのエイリアシング部分が抽出され、このエイリアシング部分は背景技術の項目において説明したＡＡＣ−ＥＬＤ逆変換に基づき以下のように表される。
【００７４】
【数２２】
2011158485.tif 000023
【００７５】
非エイリアシング部分２３０１ｂｉ−１と、フレームｉ−１−ａｉ−３ｗ３＋（ｂｉ−３ｗ４）Ｒ＋ａｉ−１ｗ７−（ｂｉ−１ｗ８）Ｒのエイリアシング部分２３０２と、フレームｉ−２［ａｉ−３、ｂｉ−３］の再構成信号であるサブフレーム２３０４、２３０５とが、遷移フレームの信号を再構成するために用いられる。
【００７６】
図８に示されるように、窓ｗ８が非エイリアシング部分ｂｉ−１に適用されて、ｂｉ−１ｗ８が得られる。
【００７７】
窓処理後、折り畳みが適用されて、（ｂｉ−１ｗ８）Ｒで示されるｂｉ−１ｗ８の逆順が得られる。
【００７８】
図８に示すように、得られた非エイリアシング部分ａｉ−３に窓ｗ３が適用され、ａｉ−３ｗ３が得られる。
【００７９】
図８に示すように、非エイリアシングｂｉ−３に窓ｗ４が適用されて、ｂｉ−３ｗ４が得られる。ｂｉ−３ｗ４の逆順が得られ、９０１に示すように、これを（ｂｉ−３ｗ４）Ｒで示す。
【００８０】
エイリアシングを除去するために、図８に示すように−ａｉ−３ｗ３＋（ｂｉ−３ｗ４）Ｒ＋ａｉ−１ｗ７−（ｂｉ−１ｗ８）Ｒ、（ｂｉ−１ｗ８）Ｒ、ａｉ−３ｗ３、（ｂｉ−３ｗ４）Ｒを加算する。
【００８１】
ａｉ−１ｗ７に逆窓関数が適用されて、ａｉ−１が得られる。
ａｉ−１＝ａｉ−１ｗ７／７
【００８２】
したがって、フレームｉの出力は、サブフレーム２３０１とサブフレーム８０１とを連結することによって再構成された信号［ａｉ−１、ｂｉ−１］である。
【００８３】
（効果）
以上のように、ブロック切替アルゴリズムを有する本実施の形態のデコーダによれば、ＡＡＣ−ＥＬＤモードからＡＣＥＬＰモードに切り替える際に遷移フレームで生じるエイリアシングを、先行フレームの非エイリアシング部分を用いて信号処理を行うことにより除去することができる。これによって、２つの復号モードを有する低遅延のハイブリッドデコーダにおいては、ＡＡＣ−ＥＬＤ符号化技術およびＡＣＥＬＰ符号化技術をシームレスに組み合わせることができる。
【００８４】
（第４の実施の形態）
第４の実施の形態において、ＡＡＣ−ＥＬＤモードがＡＣＥＬＰモードに切り替えられる遷移フレームを復号するために、複数のブロック切替アルゴリズムを有するスピーチおよびオーディオハイブリッドデコーダを考案する。
【００８５】
第４の実施の形態の原理は、第３の実施の形態と同じである。デコーダの構成は、第３の実施の形態と異なる。第４の実施の形態のデコーダには３つの復号モードがある。その復号モードは、ＡＡＣ−ＥＬＤ復号モード、ＡＣＥＬＰ復号モード、およびＴＣＸ復号モードである。
【００８６】
図５は、ＡＡＣ−ＥＬＤとＡＣＥＬＰ符号化技術およびＴＣＸ符号化技術とを組み合わせるスピーチおよびオーディオハイブリッドデコーダを示す。図５において、入力ビットストリームが５０１において逆多重化される。モード指標が、復号モード５０２、５０３、５０４、およびブロック切替アルゴリズム５０５の選択を制御するために送信される。高周波パラメータは、高周波デコーダ５０６に送信されて、高周波信号が再構成される。低周波係数が、モード指標に従って、対応の復号モードに送信される。逆変換信号および合成信号がブロック切替アルゴリズム５０５に送信される。ブロック切替アルゴリズム５０５は、異なる切替状況に応じて低周波帯域の時間領域信号を再構成する。高周波デコーダ５０６は、高周波パラメータおよび低周波帯域の時間領域信号に基づいて、信号を再構成する。
【００８７】
（効果）
本実施の形態のブロック切替アルゴリズムを有するデコーダは、ＡＡＣ−ＥＬＤモードがＡＣＥＬＰモードに切り替えられる遷移フレームにおけるエイリアシング除去の問題を解決し、３つの復号モードを有する低遅延ハイブリッドコーデックにおいて、ＡＡＣ−ＥＬＤ符号化技術およびＡＣＥＬＰ符号化技術をシームレスに組み合わせることができる。
【００８８】
（第５の実施の形態）
第５の実施の形態において、ＡＣＥＬＰモードがＡＡＣ−ＥＬＤモードに切り替えられる遷移フレームを符号化するために、スピーチおよびオーディオハイブリッドエンコーダを有するブロック切替アルゴリズムを考案する。
【００８９】
符号化モードがＡＣＥＬＰからＡＡＣ−ＥＬＤモードに切り替えられる時、復号処理が通常のＡＡＣ−ＥＬＤ重複加算処理に戻される。先行技術において、この遷移フレームは、通常のＡＡＣ−ＥＬＤ低遅延フィルタバンクによって符号化される。先行技術とは異なり、本実施の形態のエンコーダはＭＤＣＴフィルタバンクを用いる。本実施の形態の方法の効果は、ＡＡＣ−ＥＬＤ符号化と比較して、符号化演算の複雑性を低減させることである。本実施の形態の方法を用いることによって、通常のＡＡＣ−ＥＬＤモードと比較して、デコーダに送信される変換係数が半分に低減される。そのため、ビットレートが節約される。
【００９０】
エンコーダの構成は、第１の実施の形態と同じである。本実施の形態におけるブロック切替方法は、第１の実施の形態と異なる。本実施の形態は、ＡＣＥＬＰモードがＡＡＣ−ＥＬＤモードに切り替えられる遷移フレームを符号化するためのものである。
【００９１】
図１０は、遷移フレームに対する本実施の形態の符号化方法を示す。対象フレームｉ［ａｉ、ｂｉ］が、ゼロ埋めによって２Ｎの長さに拡張され、［ａｉ、ｂｉ、０、０］と示される。このベクトルに窓処理が行われて、ベクトル［ａｉｗ７、ｂｉｗ８、０、０］が得られる。
【００９２】
窓処理後、ＭＤＣＴフィルタバンクを用いて窓処理されたベクトルが変換される。
【００９３】
【数２３】
2011158485.tif 000024
【００９４】
ＭＤＣＴ変換係数は、ＤＣＴ−ＩＶでは以下のように表される。
［ａｉｗ７、ｂｉｗ８、０、０］
【００９５】
この結果、Ｎ／２の部分の係数がすべて０となるために、Ｎ／２の長さを有するＤＣＴ−ＩＶ（ａｉｗ７−（ｂｉｗ８）Ｒ）のみをデコーダに送信すればよいことになる。ＡＡＣ−ＥＬＤ係数の長さは、Ｎである。したがって、本実施の形態の方法を用いることによって、ビットレートが半分に節約される。
【００９６】
（効果）
ブロック切替アルゴリズムを有する本実施の形態のエンコーダは、符号化モードがＡＣＥＬＰモードからＡＡＣ−ＥＬＤモードに切り替えられる時に、ＡＡＣ−ＥＬＤモードによって符号化された後続フレームのエイリアシングの除去を行うためのフレームｉのエイリアシング成分の作成に役立つものである。ＡＡＣ−ＥＬＤモードを遷移フレームに直接用いる場合と比較して、符号化の演算複雑性およびビットレートが低減される。
【００９７】
（第６の実施の形態）
第６の実施の形態において、ＡＣＥＬＰモードがＡＡＣ−ＥＬＤモードに切り替えられる遷移フレームを符号化するために、ブロック切替アルゴリズムを有するスピーチおよびオーディオハイブリッドエンコーダを考案する。
【００９８】
第６の実施の形態の原理は、第５の実施の形態と同じであるが、エンコーダの構成は第５の実施の形態とは異なる。
【００９９】
第６の実施の形態のエンコーダは３つの符号化モードを有し、そのモードはＡＡＣ−ＥＬＤモード、ＡＣＥＬＰモード、およびＴＣＸモードである。第６の実施の形態のエンコーダの構成は、第２の実施の形態と同じである。
【０１００】
（第７の実施の形態）
第７の実施の形態において、ＡＣＥＬＰモードがＡＡＣ−ＥＬＤモードに切り替えられる遷移フレームを復号するために、複数のブロック切替アルゴリズムを有するスピーチおよびオーディオハイブリッドデコーダを考案する。
【０１０１】
本実施の形態において、第５の実施の形態におけるエンコーダに従って、デコーダにおいてＡＣＥＬＰからＡＡＣ−ＥＬＤへのブロックの切り替えが行われる。符号化モードがＡＣＥＬＰからＡＡＣ−ＥＬＤモードに切り替えられる時、後続のフレームがＡＡＣ−ＥＬＤ重複加算モードに戻される。フレームｉの逆ＭＤＣＴ変換信号のエイリアシング部分と、フレームｉ−１のＡＣＥＬＰ合成信号の非エイリアシング部分と、フレームｉ−２およびフレームｉ−３の再構成信号を用いて、ＡＡＣ−ＥＬＤのエイリアシングが生成される。図９は、デコーダにおいてＡＣＥＬＰからＡＡＣ−ＥＬＤへ遷移する場合を示す。
【０１０２】
デコーダの構成は、第３の実施の形態と同じである。本実施の形態におけるブロック切替方法は、第３の実施の形態とは異なる。図９、１１、および１２は、復号処理の一例を示す。
【０１０３】
第５の実施の形態によると、受信された低帯域の係数は、この遷移フレームｉにおいてＭＤＣＴ変換係数ＤＣＴ−ＩＶ（ａｉｗ７−（ｂｉｗ８）Ｒ）である。したがって、対応する逆フィルタバンクは、第７の実施の形態においてはＩＭＤＣＴである。ＩＭＤＣＴのエイリアシングの出力は、長さＮを有する［ａｉｗ７−（ｂｉｗ８）Ｒ，−（ａｉｗ７）Ｒ＋ｂｉｗ８］で示され、図９においてサブフレーム９０１およびサブフレーム９０２と示される。
【０１０４】
先行フレームｉ−１からのＡＣＥＬＰ合成信号の非エイリアシング部分は、長さＮを有する［ａｉ−１、ｂｉ−１］で示され、図９においてサブフレーム９０３およびサブフレーム９０４と示される。
【０１０５】
先行する２つのフレームの出力は、［ａｉ−２、ｂｉ−２］、［ａｉ−３、ｂｉ−３］で示され、図９においてそれぞれ、サブフレーム９０５、９０６、９０７、９０８と示される。
【０１０６】
逆ＡＡＣ−ＥＬＤのエイリアシング部分は、上記サブフレームを用いて作成される。この目的は、通常のＡＡＣ−ＥＬＤモードに戻すことができるように、ＡＡＣ−ＥＬＤモードにより符号化された後続フレームと重複加算するためにエイリアシング成分を作成することである。
【０１０７】
逆低遅延フィルタバンクに起因するエイリアシング成分を生成する方法の一つを以下に説明する。図１１、１２は、ＡＡＣ−ＥＬＤのエイリアシング要素を作成する方法の処理の詳細を示す。
【０１０８】
図１１において、フレームｉ−３ａｉ−３の復号信号が窓処理されて、ａｉ−３ｗ１が得られる。逆順（ａｉ−３ｗ１）Ｒを得るために折り畳みが適用される。
【０１０９】
フレームｉ−３ｂｉ−３の復号信号の後半が窓処理されてｂｉ−３ｗ２が得られる。
【０１１０】
フレームｉ−１のＡＣＥＬＰ合成信号ａｉ−１の非エイリアシング部分の前半が窓処理されて、ａｉ−１ｗ５が得られる。逆順（ａｉ−１ｗ５）Ｒを得るために折り畳みが用いられる。
【０１１１】
ＡＣＥＬＰ合成信号の非エイリアシング部分の後半を、ｂｉ−１と示す。ｂｉ−１に窓処理が行われて、ｂｉ−１ｗ６が得られる。
【０１１２】
ベクトル（ａｉ−３ｗ１）Ｒ、ｂｉ−３ｗ２、（ａｉ−１ｗ５）Ｒ、ｂｉ−１ｗ６を合算することにより、逆低遅延フィルタバンク係数ｙｉのエイリアシング成分が以下のように再構成される。
【０１１３】
【数２４】
2011158485.tif 000025
【０１１４】
同じ分析方法を用いることで、逆変換係数ｙｉの残りの成分が再構成される。図１２は、ＡＡＣ−ＥＬＤのエイリアシング部分の生成処理の詳細を示す。
【０１１５】
【数２５】
2011158485.tif 000026
【０１１６】
図１２に示すように、ＡＡＣ−ＥＬＤフレームｉのエイリアシング部分が得られる。
【０１１７】
【数２６】
2011158485.tif 000027
【０１１８】
デコーダの窓［ｗＲ，８、ｗＲ，７、ｗＲ，６、ｗＲ，５、ｗＲ，４、ｗＲ，３、ｗＲ，２、ｗＲ，１］が適用されて、窓処理されたエイリアシング部分    
【数２７】
2011158485.tif 000028
が得られる。
【０１１９】
【数２８】
2011158485.tif 000029
【０１２０】
再生成されたＡＡＣ−ＥＬＤのエイリアシング部分を用いて、後続のＡＡＣ−ＥＬＤフレームのエイリアシング除去を続行することができる。
【０１２１】
（効果）
ブロック切替アルゴリズムを有する本実施の形態のデコーダは、ＭＤＣＴ係数を用いてＡＡＣ−ＥＬＤモードのエイリアシング成分を生成して、ＡＡＣ−ＥＬＤモードによって符号化された後続フレームのエイリアシングを容易に除去できるようにする。本発明は、２つの符号化モードを有する低遅延スピーチおよびオーディオハイブリッドコーデックにおいて、ＡＣＥＬＰモードからのＡＡＣ−ＥＬＤモードへのシームレスな遷移を実現する。
【０１２２】
（第８の実施の形態）
第８の実施の形態において、ＡＣＥＬＰモードがＡＡＣ−ＥＬＤモードに切り替えられる遷移フレームを復号するために、複数のブロック切替アルゴリズムを有するスピーチおよびオーディオハイブリッドデコーダを考案する。
【０１２３】
第８の実施の形態の原理は、第７の実施の形態と同じである。デコーダの構成は、第７の実施の形態と異なる。
【０１２４】
第８の実施の形態において、ＡＡＣ−ＥＬＤモード、ＡＣＥＬＰモード、およびＴＣＸモードの３つの復号モードがある。第８の実施の形態の構成は、第４の実施の形態の構成と同じである。
【０１２５】
（効果）
ブロック切替アルゴリズムを有する本実施の形態のデコーダは、ＡＡＣ−ＥＬＤモードのエイリアシングを生成して、ＡＡＣ−ＥＬＤモードによって符号化された後続フレームのエイリアシングを容易に除去できるようにする。本発明は、３つの符号化モードを有する低遅延スピーチおよびオーディオハイブリッドコーデックにおいて、ＡＣＥＬＰモードからのＡＡＣ−ＥＬＤモードへのシームレスな遷移を実現する。
【０１２６】
（第９の実施の形態）
第９の実施の形態において、ＡＡＣ−ＥＬＤモードがＴＣＸモードに切り替えられる遷移フレームを符号化するためにブロック切替アルゴリズムを有するスピーチおよびオーディオエンコーダを考案する。
【０１２７】
デコーダにおけるＡＡＣ−ＥＬＤモードに起因する先行フレームのエイリアシングを除去するために、ＴＣＸフレームサイズを拡張する。本実施の形態において、ブロック切替アルゴリズムは、対象フレームを先行フレームと連結して、通常のフレームサイズよりも長い拡張フレームを形成する。この拡張フレームは、エンコーダにおいてＴＣＸモードにより符号化される。
【０１２８】
エンコーダの構成は、第２の実施の形態と同じである。本実施の形態におけるブロック切替方法は、第２の実施の形態とは異なる。本実施の形態は、ＡＡＣ−ＥＬＤモードがＴＣＸモードに切り替えられる遷移フレームを符号化するためのものである。
【０１２９】
図１３は、符号化処理を示す。先行フレームはＡＡＣ−ＥＬＤモードにより符号化される。ＡＡＣ−ＥＬＤモードに起因する先行フレームｉ−１のエイリアシングを除去するために、対象フレームｉを先行フレームｉ−１と連結して長いフレームを形成する。処理フレームサイズは、２Ｎであり、Ｎはフレームサイズである。拡張されたフレームは、図１３に示すように、ＴＣＸによって符号化される。
【０１３０】
ＴＣＸモードの窓のサイズはＮである。ＴＣＸモードにおいて、重複する長さは
【数２９】
2011158485.tif 000030
である。したがって、拡張フレームは、図１３に示されるように、３つのＴＣＸ窓を含む。
【０１３１】
（効果）
ブロック切替アルゴリズムを有する本実施の形態のエンコーダは、符号化モードがＡＡＣ−ＥＬＤモードからＴＣＸモードに切り替えられる時、デコーダにおけるエイリアシングを容易に除去できるようにし、３つの符号化モードを有する低遅延のスピーチおよびオーディオハイブリッドコーデックにおいてＡＡＣ−ＥＬＤ符号化技術とＴＣＸ符号化技術とをシームレスに組み合わせることができる。
【０１３２】
（第１０の実施の形態）
第１０の実施の形態において、ＡＡＣ−ＥＬＤモードがＴＣＸモードに切り替えられる遷移フレームを復号するために、ブロック切替アルゴリズムを有するスピーチおよびオーディオハイブリッドデコーダを考案する。
【０１３３】
本実施の形態において、対象フレームをフレームｉと示す。ＡＡＣ−ＥＬＤモードに起因する先行フレームｉ−１のエイリアシングを除去するために、ブロック切替アルゴリズムは、フレームｉのＴＣＸ合成信号とフレームｉ−２の再構成信号とを用いて逆エイリアシング成分を生成する。
【０１３４】
デコーダの構成は、第４の実施の形態と同じである。本実施の形態におけるブロック切替方法は、第４の実施の形態とは異なる。図１４は、ブロック切替処理を示す。
【０１３５】
第９の実施の形態によると、対象遷移フレームは、処理フレームサイズ２Ｎを用いて、ＴＣＸモードにより符号化される。ここで、Ｎはフレームサイズである。第９の実施の形態におけるエンコーダによると、デコーダにおける合成に、ＴＣＸ合成を用いる。ＴＣＸ合成信号は、長さ２Ｎを有する［ａｉ−１＋エイリアシング、ｂｉ−１、ａｉ、ｂｉ＋エイリアシング］である。図１４においてサブフレーム１４０１として示す非エイリアシング部分のｂｉ−１は、サブフレーム１４０２のエイリアシング成分を生成するために用いられる。
【０１３６】
先行フレームｉ−１のＡＡＣ−ＥＬＤ合成信号をｙｉ−１で示し、長さは４Ｎである。背景技術において述べたＡＡＣ−ＥＬＤ逆変換に基づき、ｙｉ−１を以下のように示す。
【０１３７】
【数３０】
2011158485.tif 000031
【０１３８】
サブフレーム１４０２として示すＡＡＣ−ＥＬＤエイリアシング成分−ａｉ−３ｗ３＋（ｂｉ−３ｗ４）Ｒ＋ａｉ−１ｗ７−（ｂｉ−１ｗ８）Ｒは、ＴＣＸ合成信号ｂｉ−１サブフレーム１４０１と、サブフレーム１４０３、１０４０として示すｉ−２ｏｕｔｉ−２＝［ａｉ−３、ｂｉ−３］の再構成信号とを用いて除去される。遷移フレームが再構成される。
【０１３９】
図１４におけるエイリアシング除去処理の詳細は、図８の説明と同じである。図２３におけるサブフレーム２３０１は、非エイリアシング部分ｂｉ−１１４０１によって置き換えられる。エイリアシング部分であるサブフレーム２３０２は、図１４において１４０２と置き換えられる。サブフレーム２３０４および２３０５として示される非エイリアシング部分は、ｏｕｔｉ−２＝［ａｉ−３、ｂｉ−３］により置き換えられ、図１４においてサブフレーム１４０３および１４０４として示される。遷移フレームｉの再構成信号は、［ａｉ−１、ｂｉ−１］である。
【０１４０】
（効果）
ブロック切替アルゴリズムを有する本実施の形態のデコーダは、ＡＡＣ−ＥＬＤモードに起因するフレームｉ−１のエイリアシングを除去する。これにより、低遅延のハイブリッドスピーチおよびオーディオコーデックにおいて、ＡＡＣ−ＥＬＤモードからＴＣＸモードへのシームレスな遷移を実現する。
【０１４１】
（第１１の実施の形態）
第１１の実施の形態において、ＴＣＸモードがＡＡＣ−ＥＬＤモードに切り替えられる遷移フレームを符号化するために、ブロック切替アルゴリズムを有するスピーチおよびオーディオハイブリッドエンコーダを考案する。
【０１４２】
対象の遷移フレームは、フレームｉと示し、このフレームｉがＡＡＣ−ＥＬＤモードで符号化される。先行フレームは、ＴＣＸモードにより符号化されている。ＡＡＣ−ＥＬＤ低遅延フィルタバンクに起因するフレームｉのエイリアシングを除去するために、ブロック切替アルゴリズムは、対象フレームを先行する３フレームとともにＡＡＣ−ＥＬＤモードで符号化する。
【０１４３】
エンコーダの構成は、第２の実施の形態と同じである。本実施の形態におけるブロック切替方法は、第２の実施の形態とは異なる。
【０１４４】
図１５は、エンコーダにおいてＴＣＸモードがＡＡＣ−ＥＬＤモードに切り替えられる遷移フレームに対する符号化処理を示す。第９の実施の形態によると、重複する長さは、ＴＣＸモードにおいて      
【数３１】
2011158485.tif 000032
であり、Ｎはフレームサイズである。通常のＴＣＸモードにより符号化されたフレームに対して、図１５に示すように２つのＴＣＸ窓が適用される。
【０１４５】
図１５に示されるように、対象の遷移フレームに対してＡＡＣ−ＥＬＤモードが直接適用されている。
【０１４６】
（効果）
第１１の実施の形態におけるエンコーダは、ＴＣＸモードがＡＡＣ−ＥＬＤモードに切り替えられる時にデコーダにおいて行われるエイリアシングの除去を容易にする。本実施の形態におけるブロック切替アルゴリズムは、低遅延のスピーチおよびオーディオハイブリッドコーデックにおけるＡＡＣ−ＥＬＤ符号化技術とＴＣＸ符号化技術とのシームレスな組み合わせを実現する。
【０１４７】
（第１２の実施の形態）
第１２の実施の形態において、ＴＣＸモードがＡＡＣ−ＥＬＤモードに切り替えられる遷移フレームを復号するために、ブロック切替アルゴリズムを有するスピーチおよびオーディオハイブリッドデコーダを考案する。
【０１４８】
本実施の形態におけるブロック切替アルゴリズムは、ＴＣＸ合成信号およびフレームｉ−２の再構成信号を用いてＡＡＣ−ＥＬＤのエイリアシングを生成し、ブロックを切り替えるために、ＡＡＣ−ＥＬＤのエイリアシングを除去する。
【０１４９】
図１６は、ＴＣＸモードがＡＡＣ−ＥＬＤモードに切り替えられる遷移フレームに対応する復号処理を示す。第１１の実施の形態に記載のエンコーダによると、先行フレームはＴＣＸモードで符号化される。ＴＣＸ合成後、ＴＣＸで合成された信号は、［ｂｉ−２＋エイリアシング、ａｉ−１、ｂｉ−１＋エイリアシング］であり、      
【数３２】
2011158485.tif 000033
の長さを有する。ａｉ−１は、図１６においてサブフレーム１６０１と示す。
【０１５０】
対象フレームｉに対して、逆低遅延フィルタバンクの後、以下に示すように、逆変換信号はｙｉと示され、長さ４Ｎを有する。
【０１５１】
【数３３】
2011158485.tif 000034
【０１５２】
エイリアシング部分である、−（ａｉ−３ｗ１）Ｒ−ｂｉ−３ｗ２＋（ａｉ−１ｗ５）Ｒ＋ｂｉ−１ｗ６は、サブフレーム１６０２として示され、ＴＣＸ合成信号ａｉ−１およびサブフレーム１６０３、１６０４として示される再構成信号のフレームｉ−２ｏｕｔｉ−２＝［ａｉ−３、ｂｉ−３］により除去されて、遷移フレーム［ａｉ−１、ｂｉ−１］の信号を再構成する。
【０１５３】
図１７は、エイリアシング除去の一例を示す。フレームｉ−２ａｉ−３の再構成信号が窓処理されて、図１７に示すようにａｉ−３ｗ１が得られる。ａｉ−３ｗ１の逆ベクトルを、（ａｉ−３ｗ１）Ｒと示す。
【０１５４】
ｏｕｔｉ−２の後半が窓処理されて、ｂｉ−３ｗ２が得られる。
【０１５５】
ＴＣＸ合成信号ａｉ−１が窓処理されて、ａｉ−１ｗ５が得られる。ａｉ−１ｗ５の逆順は、（ａｉ−１ｗ５）Ｒである。
【０１５６】
再度生成されたエイリアシング成分ｂｉ−１ｗ６を加算および逆窓処理することにより、サブフレーム１７０１ｂｉ−１が再構成される。対象遷移フレームを得るために、サブフレーム１７０１が、図１７に示すようにサブフレーム１６０１と連結される。
【０１５７】
量子化の誤差により、連結部分の境界は滑らかではない。アーチファクトを除去するために、境界の平滑化に適応したアルゴリズムを考案する。図２４は、サブフレーム境界平滑化処理を示す。
【０１５８】
サブフレーム１７０１ｂｉ−１は、ＴＣＸ窓形状により窓処理される。折り畳みおよび展開処理を適用してＭＤＣＴ−ＴＣＸエイリアシング成分を生成する。得られた結果と、元々はＭＤＣＴ−ＴＣＸ逆変換に起因するサブフレーム１６０５のエイリアシング部分とが重ね合わされて、サブフレーム２４０１が得られる。サブフレーム１６０１と２４０１との間の境界は、重複加算処理により滑らかになる。過渡信号［ａｉ−１、ｂｉ−１］が再構成される。
【０１５９】
（効果）
ブロック切替アルゴリズムを有する本実施の形態のデコーダは、ＡＡＣ−ＥＬＤモードに起因するフレームｉのエイリアシングを除去する。これにより、ＴＣＸモードからＡＡＣ−ＥＬＤモードへのシームレスな遷移を実現する。
【０１６０】
（第１３の実施の形態）
第１３の実施の形態において、低遅延のスピーチおよびオーディオハイブリッドコーデックにおいて過渡信号を符号化するための符号化方法を考案する。
【０１６１】
ＡＡＣ−ＥＬＤコーデックにおいて、ロングウインドウ形状のみが用いられる。これにより、エネルギーが急激に変化する過渡信号の符号化性能が低下する。過渡信号に対処するには、ショートウインドウが好ましい。本実施の形態では、過渡信号符号化アルゴリズムを考案する。過渡信号を有する対象フレームｉが、先行フレームと連結されて、より長いフレームサイズを有する拡張フレームを形成する。複数のショートウインドウおよびＭＤＣＴフィルタバンクが、この処理されたフレームの符号化に用いられる。
【０１６２】
エンコーダの構成は、第１および第２の実施の形態と同じである。図１８は、エンコーダにおける符号化処理を示す。先行するフレームｉ−１は、先行する３つのフレームとともにＡＡＣ−ＥＬＤモードによって符号化される。フレームｉは、図１８に示すように先行フレームと連結される。拡張された長い遷移フレームの長さは、      
【数３４】
2011158485.tif 000035
である。長さ      
【数３５】
2011158485.tif 000036
を有する６つのショートウインドウが、拡張フレームに適用される。ショートウインドウ形状は、ＭＤＣＴフィルタバンクによって用いられる対称のウィンドウであればどのような形状でもよい。ＭＤＣＴフィルタバンクは、ショートウインドウ処理された信号に適用される。
【０１６３】
（効果）
本実施の形態のエンコーダは、過渡信号処理アルゴリズムを提供し、ＡＡＣ−ＥＬＤ符号化技術を用いる低遅延ハイブリッドコーデックの音質を向上させる。
【０１６４】
（第１４の実施の形態）
第１４の実施の形態において、過渡信号を復号するためのスピーチおよびオーディオハイブリッドデコーダを考案する。
【０１６５】
第１３の実施の形態において説明したように、過渡フレームｉは、ショートウインドウＭＤＣＴによって符号化される。ＡＡＣ−ＥＬＤモードに起因するフレームｉ−１のエイリアシングを除去するために、本実施の形態における過渡信号復号方法は、フレームｉの逆ＭＤＣＴ変換信号とフレームｉ−３の再構成信号とを用いてＡＡＣ−ＥＬＤモードの逆エイリアシングを生成する。
【０１６６】
過渡フレームの復号処理を、図１９に示す。第１３の実施の形態に記載の符号化処理によると、ＩＭＤＣＴおよび重複加算した後、信号１９０２は、［ａｉ−１＋エイリアシング、ｂｉ−１、ａｉ、ｂｉ＋エイリアシング］となり、長さ      
【数３６】
2011158485.tif 000037
を有する。
【０１６７】
ＭＤＣＴからの非エイリアシング部分ｂｉ−１は、図１９において１９０２として示されており、フレームｉ−１のＡＡＣ−ＥＬＤ逆変換信号ｙｉ−１１９０４およびフレームｉ−３の再構成信号ｏｕｔｉ−２＝［ａｉ−３、ｂｉ−３］１９０５は、信号［ａｉ−１、ｂｉ−１］を再構成するために図１９のブロック１９０１に送信される。したがって、フレームｉの出力は［ａｉ−１、ｂｉ−１］である。
【０１６８】
図１９におけるブロック１９０１の処理は、図８と同じである。図２３におけるサブフレーム２３０１は、非エイリアシング部分１９０２により置き換えられる。図１９におけるエイリアシング部分であるサブフレーム２３０２は、１９０４によって置き換えられる。サブフレーム２３０４、２３０５と示される非エイリアシング部分は、図１９の１９０５と示されるｏｕｔｉ−２＝［ａｉ−３、ｂｉ−３］によって置き換えられる。
【０１６９】
（効果）
本実施の形態のデコーダは、過渡信号の符号化性能を向上させるために、過渡信号処理方法を提供する。その結果、ＡＡＣ−ＥＬＤ符号化技術を用いる低遅延ハイブリッドコーデックの音質が向上する。
【産業上の利用可能性】
【０１７０】
本発明は、ハイブリッドオーディオ符号化システムに関し、具体的には、低ビットレートにおけるオーディオ符号化およびスピーチ符号化に対応するハイブリッド符号化システムに関する。ハイブリッド符号化システムは、変換符号化と時間領域符号化とを組み合わせる。放送システム、携帯テレビ、携帯電話の通信、テレビ会議に用いることができる。
【図１】
2011158485.tif 000038
【図２】
2011158485.tif 000039
【図３】
2011158485.tif 000040
【図４】
2011158485.tif 000041
【図５】
2011158485.tif 000042
【図６】
2011158485.tif 000043
【図７】
2011158485.tif 000044
【図８】
2011158485.tif 000045
【図９】
2011158485.tif 000046
【図１０】
2011158485.tif 000047
【図１１】
2011158485.tif 000048
【図１２】
2011158485.tif 000049
【図１３】
2011158485.tif 000050
【図１４】
2011158485.tif 000051
【図１５】
2011158485.tif 000052
【図１６】
2011158485.tif 000053
【図１７】
2011158485.tif 000054
【図１８】
2011158485.tif 000055
【図１９】
2011158485.tif 000056
【図２０】
2011158485.tif 000057
【図２１】
2011158485.tif 000058
【図２２】
2011158485.tif 000059
【図２３】
2011158485.tif 000060
【図２４】
2011158485.tif 000061
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
線形予測係数を用いたスピーチ符号化モードと低遅延直交変換を用いたオーディオ符号化モードとを切り替えながら符号化ストリームを復号するオーディオハイブリッド復号装置であって、
前記オーディオ符号化モードにおいて、逆低遅延フィルタバンクを用いて前記符号化信号を復号することによって、合成信号を生成する低遅延変換復号部と、
前記スピーチ符号化モードにおいて、前記線形予測係数を含む前記符号化信号を復号することによって、音声合成信号を生成する音声復号部と、
復号対象フレームが、前記低遅延直交変換を用いた前記オーディオ符号化モードから、前記線形予測係数を用いた前記スピーチ符号化モードに切替られる直前のフレームである場合、前記復号対象フレームの一部の信号を、前記復号対象フレームに先行する先行フレームの信号を用いて復号し、復号された前記復号対象フレームの一部の信号と、前記音声復号部によって生成された前記復号対象フレームの他部の前記音声合成信号とを組み合わせることによって、前記復号対象フレームの信号を再構成するブロック切替部と
を備えるオーディオハイブリッド復号装置。
【請求項２】
前記ブロック切替部は、前記復号対象フレームの他部の前記音声合成信号、前記復号対象フレームにおける前記逆低遅延フィルタバンクからの複数の逆変換信号、および前記先行フレームの再構成信号を用いて、前記復号対象フレームの一部の信号を復号する
請求項１記載のオーディオハイブリッド復号装置。
【請求項３】
前記音声復号部は、前記線形予測係数と代数符号励振係数とを復号することにより代数符号励振線形予測合成信号を前記音声合成信号として生成し、
前記ブロック切替部は、前記復号対象フレームが、前記低遅延直交変換を用いた前記オーディオ符号化モードから、前記代数符号励振係数および前記線形予測係数を用いた前記スピーチ符号化モードに切替られる直前のフレームである場合、前記復号対象フレームの他部の前記代数符号励振線形予測合成信号、前記復号対象フレームにおける前記逆低遅延フィルタバンクからの複数の逆変換信号、および前記先行フレームの再構成信号を用いて、前記復号対象フレームの一部の信号を復号する
請求項２記載のオーディオハイブリッド復号装置。
【請求項４】
前記音声復号部は、前記線形予測係数を復号して、直交変換処理によって変換符号化励振合成信号を前記音声合成信号として生成し、
前記ブロック切替部は、前記復号対象フレームが、前記低遅延直交変換を用いた前記オーディオ符号化モードから、前記直交変換処理によって変換符号化励振合成信号を生成する前記スピーチ符号化モードに切替られる直前のフレームである場合、前記復号化対象フレームの他部の前記変換符号化励振合成信号と、前記復号対象フレームにおける前記逆低遅延フィルタバンクからの複数の逆変換信号と、前記先行フレームの再構成信号とを用いて、前記復号対象フレームの一部の信号を復号する
請求項２記載のオーディオハイブリッド復号装置。
【請求項５】
前記音声復号部は、前記線形予測係数と代数符号励振係数とを復号することにより代数符号励振線形予測合成信号を前記音声合成信号として生成し、
前記ブロック切替部は、前記復号対象フレームが、前記代数符号励振線形予測係数を用いた前記スピーチ符号化モードから、前記低遅延直交変換を用いた前記オーディオ符号化モードに切替られた直後のフレームである場合、前記復号対象フレームにおける前記逆低遅延フィルタバンクからの複数の逆変換信号と、第１先行フレームの代数符号励振線形予測合成信号と、第２先行フレームの再構成信号とのうちの少なくとも２つを用いることにより、前記復号対象フレームの信号を再構成する
請求項１記載のオーディオハイブリッド復号装置。
【請求項６】
前記音声復号部は、前記線形予測係数を復号して、直交変換処理によって変換符号化励振合成信号を前記音声合成信号として生成し、
前記ブロック切替部は、前記復号対象フレームが、前記直交変換処理によって変換符号化励振合成信号を生成する前記スピーチ符号化モードから、前記低遅延直交変換を用いた前記オーディオ符号化モードに切替られる直前のフレームである場合、前記復号対象フレームの次のフレームにおける前記逆低遅延フィルタバンクからの複数の逆変換信号と、前記復号対象フレームの一部の前記変換符号化励振合成信号と、前記先行フレームの再構成信号とを用いることにより、前記復号対象フレームの信号を再構成する
請求項１記載のオーディオハイブリッド復号装置。
【請求項７】
前記低遅延変換復号部は、前記逆低遅延フィルタバンクの代わりに逆修正離散コサイン変換フィルタバンクを用いて前記符号化信号を復号する
請求項１記載のオーディオハイブリッド復号装置。
【請求項８】
前記低遅延変換復号部は、ショートウインドウ処理された拡張フレームに対して逆修正離散コサイン変換フィルタバンクを適用し、
前記ブロック切替部は、前記復号対象フレームにおける前記逆修正離散コサイン変換フィルタバンクからの複数の逆変換信号と、前記拡張フレームに含まれる先行フレームの逆変換信号と、前記先行フレームの再構成信号とを用いることにより、前記拡張フレームにおける時間信号を復号する
請求項７記載のオーディオハイブリッド復号装置。
【請求項９】
線形予測係数を用いたスピーチ符号化モードと低遅延直交変換を用いたオーディオ符号化モードとを切り替ながら入力信号を符号化するオーディオハイブリッド符号化装置であって、
前記入力信号の特徴に応じて前記入力信号を分類し、前記分類結果に応じて、前記入力信号を符号化する符号化モードとして、前記スピーチ符号化モードと前記オーディオ符号化モードとを切替える信号分類部と、
前記オーディオ符号化モードにおいて、低遅延フィルタバンクを用いて前記入力信号を符号化して符号化信号を生成する低遅延変換符号化部と、
前記スピーチ符号化モードにおいて、前記入力信号の線形予測係数を算出することにより、前記線形予測係数を含む符号化信号を生成する音声符号化部と、
符号化対象フレームが、前記低遅延直交変換を用いた前記オーディオ符号化モードから前記線形予測係数を用いた前記スピーチ符号化モードに切替られた直後のフレームである場合、前記符号化対象フレームに先行する先行フレームと、前記符号化対象フレームとを連結して拡張フレームを形成し、形成された前記拡張フレームの入力信号を符号化するブロック切替部と
を備えるオーディオハイブリッド符号化装置。
【請求項１０】
前記音声符号化部は、
算出された前記線形予測係数を用いて励振残差を算出し、前記励振残差および修正離散コサイン変換フィルタバンクを用いて変換符号化励振係数を算出し、前記変換符号化励振係数と前記線形予測係数とを含む符号化信号を生成する変換符号化励振符号化部と、
前記線形予測係数と代数符号励振係数とを含む符号化信号を生成する代数符号励振線形予測符号化部と
を備える請求項９記載のオーディオハイブリッド符号化装置。
【請求項１１】
前記ブロック切替部は、前記符号化対象フレームが、前記スピーチ符号化モードから前記オーディオ符号化モードに切替られる直前のフレームである場合、前記低遅延フィルタバンクの代わりに修正離散コサイン変換フィルタバンクを用いて前記符号化対象フレームの入力信号を変換する
請求項９記載のオーディオハイブリッド符号化装置。
【請求項１２】
前記ブロック切替部は、形成された前記拡張フレームをショートウインドウ処理した後、修正離散コサイン変換フィルタバンクによる変換処理を用いて符号化する
請求項９記載のオーディオハイブリッド符号化装置。
【請求項１３】
前記ブロック切替部は、前記復号対象フレームが、前記低遅延直交変換を用いた前記オーディオ符号化モードから、前記代数符号励振係数および前記線形予測係数を用いた前記スピーチ符号化モードに切替られる直前のフレームである場合に、
ａ．ウィンドウ処理および順序付けを行うことにより前記復号対象フレームの他部の前記代数符号励振線形予測合成信号を処理して第１の信号を取得し、
ｂ．ウィンドウ処理および順序付けを行うことにより前記先行フレームの再構成信号を処理して第２の信号を取得し、
ｃ．前記第１の信号と前記第２の信号とを、前記復号対象フレームにおける逆低遅延フィルタバンクからの複数の逆変換信号に加算して、第３の信号を取得し、
ｄ．ウィンドウ処理および順序付けを行うことにより前記第３の信号を処理して第４の信号を前記復号対象フレームの一部の信号として取得し、
ｅ．前記第４の信号と前記復号対象フレームの他部の前記代数符号励振線形予測合成信号とを連結させて再構成された信号を前記復号対象フレームの信号として取得する
請求項３記載のオーディオハイブリッド復号装置。
【請求項１４】
前記ブロック切替部は、前記復号対象フレームが、前記代数符号励振線形予測係数を用いた前記スピーチ符号化モードから、前記低遅延直交変換を用いた前記オーディオ符号化モードに切替られた直後のフレームである場合に、
ａ．前記復号対象フレームから３フレーム前の前記第２先行フレームの再構成信号を、ウィンドウ処理および順序付けを行うことにより処理して、第１の信号を取得し、
ｂ．ウィンドウ処理および順序付けを行うことにより前記復号対象フレームから１フレーム前の前記第１先行フレームの代数符号励振線形予測合成信号を処理して、第２の信号を取得し、
ｃ．前記第１の信号と前記第２の信号とを加算して第３の信号を取得し、
ｄ．前記第３の信号をウィンドウ処理および順序付けを行うことにより前記復号対象フレームの逆低遅延直交変換信号の一部を取得する
請求項５記載のオーディオハイブリッド復号装置。
【請求項１５】
前記ブロック切替部は、前記復号対象フレームが、前記代数符号励振線形予測係数を用いた前記スピーチ符号化モードから、前記低遅延直交変換を用いた前記オーディオ符号化モードに切替られた直後のフレームである場合に、
ａ．前記復号対象フレームから２フレーム前の前記第２先行フレームの再構成信号をウィンドウ処理および順序付けを行うことにより処理して第１の信号を取得し、
ｂ．前記第１の信号と前記第２先行フレームの再構成信号とを、前記復号対象フレームにおける前記逆低遅延フィルタバンクからの複数の逆変換信号に加算して、第３の信号を取得し、
ｃ．前記第３の信号を、ウィンドウ処理および順序付けを行うことにより前記復号対象フレームの逆低遅延変換信号の一部を取得する
請求項５記載のオーディオハイブリッド復号装置。
【請求項１６】
前記ブロック切替部は、前記復号対象フレームが、前記低遅延直交変換を用いた前記オーディオ符号化モードから、前記直交変換処理によって変換符号化励振合成信号を生成する前記スピーチ符号化モードに切替られる直前のフレームである場合に、
ａ．ウィンドウ処理および順序付けを行うことにより前記復号対象フレームの他部の前記変換符号化励振合成信号を処理して第１の信号を取得し、
ｂ．前記先行フレームの再構成信号をウィンドウ処理および順序付けを行うことにより第２の信号を取得し、
ｃ．前記第１の信号と前記第２の信号とを、前記復号対象フレームにおける逆低遅延フィルタバンクからの前記複数の逆変換信号に加算して、第３の信号を取得し、
ｄ．ウィンドウ処理および順序付けを行うことにより前記第３の信号を処理して第４の信号を前記復号対象フレームの一部の信号として取得し、
ｅ．前記第４の信号と前記復号対象フレームの前記変換符号化励振合成信号とを連結させて再構成された信号を前記復号対象フレームの信号として取得する
請求項４記載のオーディオハイブリッド復号装置。
【請求項１７】
前記ブロック切替部は、前記復号対象フレームが、前記直交変換処理によって変換符号化励振合成信号を生成する前記スピーチ符号化モードから、前記低遅延直交変換を用いた前記オーディオ符号化モードに切替られる直前のフレームである場合に、
ａ．ウィンドウ処理および順序付けにより前記復号対象フレームの一部の前記変換符号化励振合成信号を処理して、第１の信号を取得し、
ｂ．ウィンドウ処理および順序付けを行うことにより前記先行フレームの再構成信号を処理して、第２の信号を取得し、
ｃ．前記第１の信号と前記第２の信号とを、前記復号対象フレームの次のフレームにおける逆低遅延フィルタバンクからの複数の逆変換信号に加算して第３の信号を取得し、
ｄ．ウィンドウ処理および順序付けを行うことにより前記第３の信号を処理して第４の信号を前記復号対象フレームの他部の信号として取得し、
ｅ．前記第４の信号と前記復号対象フレームの一部の前記変換符号化励振合成信号とを連結させて再構成された信号を前記復号対象フレームの信号として取得する
請求項６記載のオーディオハイブリッド復号装置。
【請求項１８】
前記ブロック切替部は、
ａ．前記複数の復号対象フレームの逆修正離散コサイン変換フィルタバンクからの再構成信号を、ウィンドウ処理および順序付けを行うことにより第１の信号を取得し、
ｂ．前記先行フレームの再構成信号をウィンドウ処理および順序付けを行うことにより、第２の信号を取得し、
ｃ．前記第１の信号と前記第２の信号とを逆低遅延フィルタバンクからの複数の先行フレームの逆変換信号に加算して、第３の信号を取得し、
ｄ．ウィンドウ処理および順序付けにより前記第３の信号を処理して第４の信号を取得し、
ｅ．前記第４の信号と前記複数の復号対象フレームの前記逆修正離散コサイン変換フィルタバンクからの前記再構成信号とを連結させて、再構成された信号を取得する
請求項８記載のオーディオハイブリッド復号装置。
【手続補正２】
【補正対象書類名】明細書
【補正対象項目名】００１９
【補正方法】変更
【補正の内容】
【００１９】
［数１９］
2011158485.tif 000062
と示す。ＡＣＥＬＰ合成信号の長さは、第１の実施の形態において示されている符号化処理に基づき、
［数２０］
2011158485.tif 000063
である。図２３においてサブフレーム２３０１と示されている非エイリアシング部分の一部は、エイリアシング除去のために抽出される。
［００７２］
［数２１］
2011158485.tif 000064
［００７３］
先行フレームｉ−１のＡＡＣ−ＥＬＤ逆変換信号は、ｙｉ−１と示され、４Ｎの長さを有する。図２３において、サブフレーム２３０２として示されている１つのエイリアシング部分が抽出され、このエイリアシング部分は背景技術の項目において説明したＡＡＣ−ＥＬＤ逆変換に基づき以下のように表される。
［００７４］
［数２２］
2011158485.tif 000065
［００７５］
非エイリアシング部分２３０１（ｂｉ−１）と、フレームｉ−１のエイリアシング部分２３０２（−ａｉ−３ｗ３＋（ｂｉ−３ｗ４）Ｒ＋ａｉ−１ｗ７−（ｂｉ−１ｗ８）Ｒ）と、フレームｉ−２［ａｉ−３、ｂｉ−３］の再構成信号であるサブフレーム２３０４、２３０５とが、遷移フレームの信号を再構成するために用いられる。
［００７６］
図８に示されるように、窓ｗ８が非エイリアシング部分ｂｉ−１に適用されて
【手続補正３】
【補正対象書類名】明細書
【補正対象項目名】００２２
【補正方法】変更
【補正の内容】
【００２２】
いて、この遷移フレームは、通常のＡＡＣ−ＥＬＤ低遅延フィルタバンクによって符号化される。先行技術とは異なり、本実施の形態のエンコーダはＭＤＣＴフィルタバンクを用いる。本実施の形態の方法の効果は、ＡＡＣ−ＥＬＤ符号化と比較して、符号化演算の複雑性を低減させることである。本実施の形態の方法を用いることによって、通常のＡＡＣ−ＥＬＤモードと比較して、デコーダに送信される変換係数が半分に低減される。そのため、ビットレートが節約される。
［００９０］
エンコーダの構成は、第１の実施の形態と同じである。本実施の形態におけるブロック切替方法は、第１の実施の形態と異なる。本実施の形態は、ＡＣＥＬＰモードがＡＡＣ−ＥＬＤモードに切り替えられる遷移フレームを符号化するためのものである。
［００９１］
図１０は、遷移フレームに対する本実施の形態の符号化方法を示す。対象フレームｉ［ａｉ、ｂｉ］が、ゼロ埋めによって２Ｎの長さに拡張され、［ａｉ、ｂｉ、０、０］と示される。このベクトルに窓処理が行われて、ベクトル［ａｉｗ７、ｂｉｗ８、０、０］が得られる。
［００９２］
窓処理後、ＭＤＣＴフィルタバンクを用いて窓処理されたベクトルが変換される。
［００９３］
［数２３］
2011158485.tif 000066
［００９４］
ＭＤＣＴ変換係数は、ＤＣＴ−ＩＶでは以下のように表される。
［０、ＤＣＴ−ＩＶ（ａｉｗ７−（ｂｉｗ８）Ｒ）］
［００９５］
この結果、Ｎ／２の部分の係数がすべて０となるために、Ｎ／２の長さを有するＤＣＴ−ＩＶ（ａｉｗ７−（ｂｉｗ８）Ｒ）のみをデコーダに送信すればよいことになる。ＡＡＣ−ＥＬＤ係数の長さは、Ｎである。したがって、本実施の形態の方法を用いることによって、ビットレートが半分に節約される。
［００９６］
（効果）
【手続補正４】
【補正対象書類名】明細書
【補正対象項目名】００２４
【補正方法】変更
【補正の内容】
【００２４】
る場合を示す。
［０１０２］
デコーダの構成は、第３の実施の形態と同じである。本実施の形態におけるブロック切替方法は、第３の実施の形態とは異なる。図９、１１、および１２は、復号処理の一例を示す。
［０１０３］
第５の実施の形態によると、受信された低帯域の係数は、この遷移フレームｉにおいてＭＤＣＴ変換係数ＤＣＴ−ＩＶ（ａｉｗ７−（ｂｉｗ８）Ｒ）である。したがって、対応する逆フィルタバンクは、第７の実施の形態においてはＩＭＤＣＴである。ＩＭＤＣＴのエイリアシングの出力は、長さＮを有する［ａｉｗ７−（ｂｉｗ８）Ｒ’−（ａｉｗ７）Ｒ＋ｂｉｗ８］で示され、図９においてサブフレーム９０１およびサブフレーム９０２と示される。
［０１０４］
先行フレームｉ−１からのＡＣＥＬＰ合成信号の非エイリアシング部分は、長さＮを有する［ａｉ−１、ｂｉ−１］で示され、図９においてサブフレーム９０３およびサブフレーム９０４と示される。
［０１０５］
先行する２つのフレームの出力は、［ａｉ−２、ｂｉ−２］、（ａｉ−３、ｂｉ−３］で示され、図９においてそれぞれ、サブフレーム９０５、９０６、９０７、９０８と示される。
［０１０６］
逆ＡＡＣ−ＥＬＤのエイリアシング部分は、上記サブフレームを用いて作成される。この目的は、通常のＡＡＣ−ＥＬＤモードに戻すことができるように、ＡＡＣ−ＥＬＤモードにより符号化された後続フレームと重複加算するためにエイリアシング成分を作成することである。
［０１０７］
逆低遅延フィルタバンクに起因するエイリアシング成分を生成する方法の一つを以下に説明する。図１１、１２は、ＡＡＣ−ＥＬＤのエイリアシング要素を作成する方法の処理の詳細を示す。
［０１０８］
図１１において、フレームｉ−３の復号信号ａｉ−３が窓処理されて、ａｉ−３ｗ１が得られる。逆順（ａｉ−３ｗ１）Ｒを得るために折り畳みが適用される。
［０１０９］
フレームｉ−３の復号信号ｂｉ−３の後半が窓処理されてｂｉ−３ｗ２が得られる。
［０１１０］
フレームｉ−１のＡＣＥＬＰ合成信号ａｉ−１の非エイリアシング部分の前半
【手続補正５】
【補正対象書類名】明細書
【補正対象項目名】００３０
【補正方法】変更
【補正の内容】
【００３０】
［数３０］
2011158485.tif 000067
［０１３８］
サブフレーム１４０２として示すＡＡＣ−ＥＬＤエイリアシング成分−ａｉ−３ｗ３＋（ｂｉ−３ｗ４）Ｒ＋ａｉ−１ｗ７−（ｂｉ−１ｗ８）Ｒは、サブフレーム１４０１のＴＣＸ合成信号ｂｉ−１と、サブフレーム１４０３、１０４０として示すフレームｉ−２における再構成信号ｏｕｔｉ−２＝［ａｉ−３、ｂｉ−３］とを用いて除去される。遷移フレームが再構成される。
［０１３９］
図１４におけるエイリアシング除去処理の詳細は、図８の説明と同じである。図２３におけるサブフレーム２３０１は、サブフレーム１４０１の非エイリアシング部分ｂｉ−１によって置き換えられる。エイリアシング部分であるサブフレーム２３０２は、図１４において１４０２と置き換えられる。サブフレーム２３０４および２３０５として示される非エイリアシング部分は、ｏｕｔｉ−２＝［ａ
【手続補正６】
【補正対象書類名】明細書
【補正対象項目名】００３３
【補正方法】変更
【補正の内容】
【００３３】
［０１５１］
［数３３］
2011158485.tif 000068
［０１５２］
エイリアシング部分である、−（ａｉ−３ｗ１）Ｒ−ｂｉ−３ｗ２＋（ａｉ−１ｗ５）Ｒ＋ｂｉ−１ｗ６は、サブフレーム１６０２として示され、ＴＣＸ合成信号ａｉ−１およびサブフレーム１６０３、１６０４として示されるフレームｉ−２における再構成信号ｏｕｔｉ−２＝［ａｉ−３、ｂｉ−３］により除去されて、遷移フレーム［ａｉ−１、ｂｉ−１］の信号を再構成する。
［０１５３］
図１７は、エイリアシング除去の一例を示す。フレームｉ−２の再構成信号ａｉ−３が窓処理されて、図１７に示すようにａｉ−３ｗ１が得られる。ａｉ−３ｗ１の逆ベクトルを、（ａｉ−３ｗ１）Ｒと示す。
［０１５４］
ｏｕｔｉ−２の後半が窓処理されて、ｂｉ−３ｗ２が得られる。
［０１５５］
ＴＣＸ合成信号ａｉ−１が窓処理されて、ａｉ−１ｗ５が得られる。ａｉ−１ｗ５の
【手続補正７】
【補正対象書類名】明細書
【補正対象項目名】００３４
【補正方法】変更
【補正の内容】
【００３４】
逆順は、（ａｉ−１ｗ５）Ｒである。
［０１５６］
再度生成されたエイリアシング成分ｂｉ−１ｗ６を加算および逆窓処理することにより、サブフレーム１７０１（ｂｉ−１）が再構成される。対象遷移フレームを得るために、サブフレーム１７０１が、図１７に示すようにサブフレーム１６０１と連結される。
［０１５７］
量子化の誤差により、連結部分の境界は滑らかではない。アーチファクトを除去するために、境界の平滑化に適応したアルゴリズムを考案する。図２４は、サブフレーム境界平滑化処理を示す。
［０１５８］
サブフレーム１７０１（ｂｉ−１）は、ＴＣＸ窓形状により窓処理される。折り畳みおよび展開処理を適用してＭＤＣＴ−ＴＣＸエイリアシング成分を生成する。得られた結果と、元々はＭＤＣＴ−ＴＣＸ逆変換に起因するサブフレーム１６０５のエイリアシング部分とが重ね合わされて、サブフレーム２４０１が得られる。サブフレーム１６０１と２４０１との間の境界は、重複加算処理により滑らかになる。過渡信号［ａｉ−１、ｂｉ−１］が再構成される。
［０１５９］
（効果）
ブロック切替アルゴリズムを有する本実施の形態のデコーダは、ＡＡＣ−ＥＬＤモードに起因するフレームｉのエイリアシングを除去する。これにより、ＴＣＸモードからＡＡＣ−ＥＬＤモードへのシームレスな遷移を実現する。
［０１６０］
（第１３の実施の形態）
第１３の実施の形態において、低遅延のスピーチおよびオーディオハイブリッドコーデックにおいて過渡信号を符号化するための符号化方法を考案する。
［０１６１］
ＡＡＣ−ＥＬＤコーデックにおいて、ロングウインドウ形状のみが用いられる。これにより、エネルギーが急激に変化する過渡信号の符号化性能が低下する。過渡信号に対処するには、ショートウインドウが好ましい。本実施の形態では、過渡信号符号化アルゴリズムを考案する。過渡信号を有する対象フレームｉが、先行フレームと連結されて、より長いフレームサイズを有